(57)【要約】【課題】サイドパネルを斜め下向きにも、また胴周り方向にも伸ばしやすくする。【解決手段】上記課題は、サイドパネル１３よりも裏側に位置し、前記背側部分の側縁から幅方向中央側に延びる第１部分８１と、サイドパネル１３よりも表側に位置し、前記背側部分の側縁から前記サイドパネルの下側を経て幅方向中央側に延びる第２部分８２とを有し、サイドパネル１３を側方に開いた状態で、サイドパネル１３におけるサイド伸縮領域１３Ｅの下縁１３ｕが、第２部分８２における表側自由部８２ｆの上縁８２ｔに押し付けられるように、サイドパネル１３に対して第１部分８１及び第２部分８２が配置されている、ことを特徴とするテープタイプ使い捨ておむつにより解決される。【選択図】図１２
2018166699.tif 000002
【特許請求の範囲】
【請求項１】
前後方向中央より前側に延在する腹側部分、及び前後方向中央より後側に延在する背側部分を有するとともに、
前記背側部分の両側部にそれぞれ取り付けられたサイドパネルを有しており、
前記サイドパネルは、前記背側部分に取り付けられた基端部と、前記腹側部分の外面に対して着脱可能に連結される連結部と、少なくとも前記基端部と連結部との間の部分に設けられた幅方向に伸縮するサイド伸縮領域とを有している、
テープタイプ使い捨ておむつにおいて、
前記サイドパネルよりも裏側に位置し、前記背側部分の側縁から幅方向中央側に延びる第１部分と、前記サイドパネルよりも表側に位置し、前記背側部分の側縁から前記サイドパネルの下側を経て幅方向中央側に延びる第２部分とを有し、
前記第１部分は、表側に隣接する面に固定された裏側固定部を有し、
前記第２部分は、前記背側部分の側縁から幅方向中央側に延びる、裏側に隣接する面に固定されていない表側自由部と、前記表側自由部の幅方向中央側に隣接する、裏側に隣接する面に固定された表側固定部とを有し、
前記サイドパネルを側方に開いた状態で、前記サイドパネルにおける前記サイド伸縮領域の下縁が、前記第２部分における前記表側自由部の上縁に押し付けられるように、前記サイドパネルに対して第１部分及び第２部分が配置されている、
ことを特徴とするテープタイプ使い捨ておむつ。
【請求項２】
前記第２部分における前記表側自由部の上縁が、側方に向かって斜め上向きに延びている、
請求項１記載のテープタイプ使い捨ておむつ。
【請求項３】
吸収体を有し、前記腹側部分及び背側部分にわたり前後方向に延びる本体を備え、
前記本体は、前記吸収体の側縁よりも側方に延び出たサイドフラップ部を有し、
前記サイドパネルは、前記サイドフラップ部に取り付けられており、
前記サイドフラップ部を構成するシートとして、前記第１部分及び前記第２部分を有するシートを備えている、
請求項１又は２記載のテープタイプ使い捨ておむつ。
【請求項４】
前記本体は、
前記吸収体の裏側を覆う液不透過性シートと、
前記液不透過性シートの裏側を覆う外装シートと、
前記サイドフラップ部を含む領域に固定された付根部分、この付根部分から延び出た突出部分、この突出部分の前後方向両端部が倒伏状態に固定された倒伏部分、及び前記突出部分のうち前後の倒伏部分間に位置する非固定の起き上がり部分を有するギャザーシートと、前記起き上がり部分の少なくとも先端部に、前後方向に伸張した状態で固定されたギャザー弾性部材とを有する起き上がりギャザーと、
を備えており、
前記サイドフラップ部には、前記ギャザーシート、前記液不透過性シート、及び前記外装シートが積層されており、
前記外装シートのみが、前記サイドパネルよりも裏側に位置する第１部分と、前記背側部分の側縁で表側に折り返された、前記サイドパネルよりも表側に位置する第２部分とを有しており、
前記外装シートにより形成される第１部分のうち、前記サイドパネルの裏側に重なる部分は、前記サイドパネルに接合されておらず、
前記外装シートにより形成される第２部分は、前記サイドパネルの下縁よりも後側に前記表側固定部を有せず、前記サイドパネルの下縁と同じかそれより前側に前記表側固定部を有している、
請求項３記載のテープタイプ使い捨ておむつ。
【請求項５】
前記ギャザーシートは、前記サイドパネルの基端部よりも幅方向中央側に位置しており、
前記背側部分における両方のサイドパネルの基端部と重なる部分にわたり、幅方向に伸縮するウエスト伸縮シートが設けられている、
請求項４記載のテープタイプ使い捨ておむつ。
【請求項６】
前記腹側部分の胴周り部の外面に、前記サイドパネルの連結部が連結されるターゲットシートを有しており、
前記ターゲットシートの少なくとも下縁は、幅方向中央に向かって斜め下向きに延びている、
請求項１〜５のいずれか１項に記載のテープタイプ使い捨ておむつ。
【請求項７】
吸収体、及び吸収体の裏側を被覆するシートを有し、前記腹側部分及び背側部分にわたり前後方向に延びる本体を備え、
前記吸収体の前縁の幅方向中央に、後側にくぼむ凹部を有している、
請求項１〜６のいずれか１項に記載のテープタイプ使い捨ておむつ。
【請求項８】
前記腹側部分の前縁の幅方向中央に、後側にくぼむ凹部を有している、
請求項１〜７のいずれか１項に記載のテープタイプ使い捨ておむつ。
【発明の詳細な説明】
【技術分野】
【０００１】
本発明は、いわゆるテープタイプの使い捨ておむつに関するものである。
【背景技術】
【０００２】
使い捨ておむつには、主にテープタイプ、パンツタイプ、パッドタイプの三種類がある。このうち、テープタイプの使い捨ておむつは、展開状態で身体にあてがった後、背側部分の左右両側に設けられた連結部を腹側部分の外面に連結することにより装着を行うものである。
【０００３】
一般的なテープタイプ使い捨ておむつは、前後方向中央より前側に延在する腹側部分、及び前後方向中央より後側に延在する背側部分を有し、少なくとも背側部分の胴周り部は左右両側に延び出たウイング部分を有し、腹側部分及び背側部分は左右のウイング部分の間に位置する中間部分を有し、ウイング部分は腹側部分の外面に着脱可能に連結される連結部を有している。使用時には、ウイング部分を腰の両側から腹側部分の外面に回して、ウイング部分の連結部を腹側部分の外面に連結する。このようなテープタイプ使い捨ておむつは、乳幼児向けとして用いられる他、介護用途（成人用途）で広く使用されている。
【０００４】
テープタイプ使い捨ておむつは、パンツタイプ使い捨ておむつと比べて胴周り方向のフィット性に劣る。このため、ウイング部分に幅方向の伸縮領域（サイド伸縮領域）を設けることにより胴周りのフィット性を高めることが提案されている（例えば特許文献１参照）。
【０００５】
例えば、特許文献１記載のものは、中間部分を形成する本体と、この本体の側縁から突出するサイドパネルとを有し、このサイドパネルの先端部に連結部が設けられているものである。特許文献１記載のものは、サイドパネルが幅方向に伸縮するものとなっており、このサイドパネルによりウイング部分、ひいては胴周り部の伸縮性が付加されている。
【０００６】
しかしながら、従来の一般的なサイドパネルは、胴周り方向に沿ってまっすぐに伸ばして装着することは容易であるものの、装着者の腹部の膨らみの下側に沿って斜め下向き（つまり、正面からみて左右のサイドパネルがほぼＶ字状をなす向き。以下、単に斜め下向きともいう）に装着しにくいものであった。
【先行技術文献】
【特許文献】
【０００７】
【特許文献１】特開２０１０−２２５５０号公報
【発明の概要】
【発明が解決しようとする課題】
【０００８】
そこで、本発明の主たる課題は、サイドパネルを斜め下向きにも、また胴周り方向にも伸ばしやすいテープタイプ使い捨ておむつを提供することにある。
【課題を解決するための手段】
【０００９】
上記課題を解決する発明の代表的態様は以下のとおりである。
＜第１の態様＞
前後方向中央より前側に延在する腹側部分、及び前後方向中央より後側に延在する背側部分を有するとともに、
前記背側部分の両側部にそれぞれ取り付けられたサイドパネルを有しており、
前記サイドパネルは、前記背側部分に取り付けられた基端部と、前記腹側部分の外面に対して着脱可能に連結される連結部と、少なくとも前記基端部と連結部との間の部分に設けられた幅方向に伸縮するサイド伸縮領域とを有している、
テープタイプ使い捨ておむつにおいて、
前記サイドパネルよりも裏側に位置し、前記背側部分の側縁から幅方向中央側に延びる第１部分と、前記サイドパネルよりも表側に位置し、前記背側部分の側縁から前記サイドパネルの下側を経て幅方向中央側に延びる第２部分とを有し、
前記第１部分は、表側に隣接する面に固定された裏側固定部を有し、
前記第２部分は、前記背側部分の側縁から幅方向中央側に延びる、裏側に隣接する面に固定されていない表側自由部と、前記表側自由部の幅方向中央側に隣接する、裏側に隣接する面に固定された表側固定部とを有し、
前記サイドパネルを側方に開いた状態で、前記サイドパネルにおける前記サイド伸縮領域の下縁が、前記第２部分における前記表側自由部の上縁に押し付けられるように、前記サイドパネルに対して第１部分及び第２部分が配置されている、
ことを特徴とするテープタイプ使い捨ておむつ。
【００１０】
（作用効果）
本態様では、装着のためにサイドパネルを胴周り方向に延ばそうとしたとき、サイド伸縮領域における第２部分の押し付け部分よりも幅方向中央側の伸長が抑制されるため、サイド伸縮領域における下縁側の伸長可能量が上縁側よりも短くなる。この結果、装着時にサイドパネルを胴周り方向に延ばそうとすると、自然にサイドパネルの向きが斜め下向きになる。また、サイドパネルを斜め上向きに伸ばした後に胴周り方向に戻すように操作するか、あるいは強引に胴周り方向に伸ばすことにより、第２部分の押し付けによる伸長抑制効果を無くすことができ、胴周り方向にまっすぐに伸ばすことも可能である。このように、本態様によれば、サイドパネルを斜め下向きにも、胴周り方向にも伸ばしやすくなる。
【００１１】
＜第２の態様＞
前記第２部分における前記表側自由部の上縁が、側方に向かって斜め上向きに延びている、
第１の態様のテープタイプ使い捨ておむつ。
【００１２】
（作用効果）
本態様のように形成されていると、装着のためにサイドパネルを胴周り方向に延ばそうとすればするほど、サイド伸縮領域の下縁が第２部分における表側自由部の上縁に押し付けられるため、第２部分による抑制効果が高いものとなる。
【００１３】
＜第３の態様＞
吸収体を有し、前記腹側部分及び背側部分にわたり前後方向に延びる本体を備え、
前記本体は、前記吸収体の側縁よりも側方に延び出たサイドフラップ部を有し、
前記サイドパネルは、前記サイドフラップ部に取り付けられており、
前記サイドフラップ部を構成するシートとして、前記第１部分及び前記第２部分を有するシートを備えている、
第１又は２の態様のテープタイプ使い捨ておむつ。
【００１４】
（作用効果）
第２部分は、サイドフラップ部を構成するシートを折り返して形成すると、別途専用の部材を取り付ける必要がないため好ましい。
【００１５】
＜第４の態様＞
前記本体は、
前記吸収体の裏側を覆う液不透過性シートと、
前記液不透過性シートの裏側を覆う外装シートと、
前記サイドフラップ部を含む領域に固定された付根部分、この付根部分から延び出た突出部分、この突出部分の前後方向両端部が倒伏状態に固定された倒伏部分、及び前記突出部分のうち前後の倒伏部分間に位置する非固定の起き上がり部分を有するギャザーシートと、前記起き上がり部分の少なくとも先端部に、前後方向に伸張した状態で固定されたギャザー弾性部材とを有する起き上がりギャザーと、
を備えており、
前記サイドフラップ部には、前記ギャザーシート、前記液不透過性シート、及び前記外装シートが積層されており、
前記外装シートのみが、前記サイドパネルよりも裏側に位置する第１部分と、前記背側部分の側縁で表側に折り返された、前記サイドパネルよりも表側に位置する第２部分とを有しており、
前記外装シートにより形成される第１部分のうち、前記サイドパネルの裏側に重なる部分は、前記サイドパネルに接合されておらず、
前記外装シートにより形成される第２部分は、前記サイドパネルの下縁よりも後側に前記表側固定部を有せず、前記サイドパネルの下縁と同じかそれより前側に前記表側固定部を有している、
第３の態様のテープタイプ使い捨ておむつ。
【００１６】
（作用効果）
テープタイプ使い捨ておむつの本体はこのような構造となっている場合、外装シートのみにより第２部分を形成すると、サイドフラップ部におけるシート積層数の増加を最小限に押さえることができ、通気性及び柔軟性の低下を抑制することができる。
【００１７】
＜第５の態様＞
前記ギャザーシートは、前記サイドパネルの基端部よりも幅方向中央側に位置しており、
前記背側部分における両方のサイドパネルの基端部と重なる部分にわたり、幅方向に伸縮するウエスト伸縮シートが設けられている、
第４の態様のテープタイプ使い捨ておむつ。
【００１８】
（作用効果）
前述のように、外装シートにより形成される第１部分のうち、サイドパネルの裏側に重なる部分は、サイドパネルに接合されておらず、かつ外装シートにより形成される第２部分は、サイドパネルの下縁よりも後側に表側固定部を有しない形態では、サイドパネルが取り付けられるサイドフラップ部の強度が低下せざるをえない。これに対して、本態様のように、サイドパネルの基端部と重なるようにウエスト伸縮シートが配置されていると、サイドパネルの基端部を取り付ける部分の強度をウエスト伸縮シートにより補うことができる。また、もちろん、サイドパネルの伸縮性と合わさって、より広範囲に伸縮性を付与することもできる。
【００１９】
＜第６の態様＞
前記腹側部分の胴周り部の外面に、前記サイドパネルの連結部が連結されるターゲットシートを有しており、
前記ターゲットシートの少なくとも下縁は、幅方向中央に向かって斜め下向きに延びている、
第１〜５のいずれか１つの態様のテープタイプ使い捨ておむつ。
【００２０】
（作用効果）
テープタイプ使い捨ておむつは、サイドパネルの連結部を連結するためのターゲットシートを備えることが一般的であり、ターゲットシートの形状は幅方向に長い長方形であることが一般的であるが、このようなターゲットシートの形状は、サイドパネルを斜め下向きにして止めるのには適しない。よって、ターゲットシートの形状が本態様のように形成されているのも望ましい。
【００２１】
＜第７の態様＞
吸収体、及び吸収体の裏側を被覆するシートを有し、前記腹側部分及び背側部分にわたり前後方向に延びる本体を備え、
前記吸収体の前縁の幅方向中央に、後側にくぼむ凹部を有している、
第１〜６のいずれか１つの態様のテープタイプ使い捨ておむつ。
【００２２】
（作用効果）
テープタイプ使い捨ておむつは吸収体を有する領域の剛性が高いため、サイドパネルを装着者の腹部の膨らみの下側に沿うように斜め下向きに連結した場合に、吸収体がフィット性を阻害する。よって、本態様のように吸収体の前縁の幅方向中央に凹部を設けることにより、吸収体の変形を容易にし、吸収体に起因するフィット性の阻害を低減するのも一つの好ましい形態である。
【００２３】
＜第８の態様＞
前記腹側部分の前縁の幅方向中央に、後側にくぼむ凹部を有している、
第１〜７のいずれか１つの態様のテープタイプ使い捨ておむつ。
【００２４】
（作用効果）
テープタイプ使い捨ておむつは平坦なシートにより形成されるため、サイドパネルを装着者の腹部の膨らみの下側に沿うように斜め下向きに連結して、フィットさせたとしても、腹側部分にしわが寄ることは避けられず、この点でフィット性を改善する余地がある。よって、本態様のように腹側部分の前縁の幅方向中央に凹部を設けることにより、腹側部分の変形を容易にし、腹側部分にしわが寄ることに起因するフィット性の低下を防止するのも一つの好ましい形態である。
【発明の効果】
【００２５】
以上のとおり、本発明によれば、サイドパネルを斜め下向きにも、また胴周り方向にも伸ばしやすくなる、等の利点がもたらされる。
【図面の簡単な説明】
【００２６】
【図１】本体は展開状態、一方のサイドパネルは折り畳まれ、他方のサイドパネルは側方に開かれた状態のテープタイプ使い捨ておむつの内面を示す、平面図である。
【図２】本体は展開状態、一方のサイドパネルは折り畳まれ、他方のサイドパネルは側方に開かれた状態のテープタイプ使い捨ておむつの外面を示す、平面図である。
【図３】図１の５−５線断面図である。
【図４】図１の６−６線断面図である。
【図５】（ａ）図１の７−７線断面図、（ｂ）図１の８−８線断面図である。
【図６】（ａ）ウエスト伸縮シートの平面図、（ｂ）ウエスト伸縮シートの断面図である。
【図７】（ａ）サイドパネルの平面図、（ｂ）サイドパネルの断面図
【図８】図３の要部拡大図である。
【図９】図１の９−９線断面図である。
【図１０】サイドパネルを開いた状態の要部を示す断面図である。
【図１１】サイドパネルを開いた状態の要部を示す斜視図である。
【図１２】サイドパネルを開き、サイドパネルを少し引っ張った状態の要部を示す斜視図である。
【図１３】装着状態を示す正面図である。
【図１４】他の形態を示す斜視図である。
【図１５】他の形態を示す図１の９−９線における断面図である。
【図１６】製造時の変化を示す平面図である。
【図１７】他の形態のテープタイプ使い捨ておむつの外面を示す、平面図である。
【発明を実施するための形態】
【００２７】
以下、本発明の一実施形態について添付図面を参照しつつ説明する。なお、断面図における点模様部分は各構成部材を接合するホットメルト接着剤を示しているが、ホットメルト接着剤に代えて、他の接着剤を用いたり、ヒートシール、超音波シール等の溶着を用いたりすることにより接合してもよいことはいうまでもない。
【００２８】
図１〜図１０はテープタイプ使い捨ておむつの一例を示している。このテープタイプ使い捨ておむつは、前後方向中央Ｃより前側に延在する腹側部分、及び前後方向中央Ｃより後側に延在する背側部分を有するものであり、背側部分Ｂの胴周り部の両側部にそれぞれ取り付けられた、腹側部分Ｆと背側部分Ｂとを連結するサイドパネル１３を備えている。図示例では、背側部分Ｂの胴周り部は、左右両側に延び出た（股間側の側縁よりも側方に位置する）ウイング部分ＷＰを有し、腹側部分Ｆ及び背側部分Ｂは左右のウイング部分ＷＰの間に位置する中間部分ＣＰを有する形態となっているが、腹側部分Ｆ及び背側部分Ｂの両方にウイング部分ＷＰを有する（換言すれば、側縁が脚周りに沿うように前後方向ＬＤの中間がくびれた）形態とすることもできる。
【００２９】
（本体・ウイング部分）
中間部分ＣＰは、吸収体５６と、吸収体５６の表側を被覆する液透過性のトップシート３０と、吸収体５６の裏側を被覆する液不透過性シート１１とを有する本体１０により形成されている。本体１０は、吸収体５６よりも前側及び後側に延びる、吸収体５６を有しないエンドフラップ部ＥＦと、吸収体５６よりも側方に延びる、吸収体５６を有しないサイドフラップ部ＳＦとを有している。一方、ウイング部分ＷＰはサイドパネル１３のみにより形成されている。ウイング部分ＷＰにおける先端側の一部を除く部分を本体の側部に形成し、ウイング部分ＷＰにおける先端側の一部を他の部材（例えば背側部分についてはサイドパネル）により形成することもできる。
【００３０】
より詳細には、図示例では、本体１０の外面全体が外装シート１２により形成されており、その内面側に液不透過性シート１１がホットメルト接着剤等の接着剤により固定され、さらにこの液不透過性シート１１の内面側に吸収体５６を含む吸収要素５０、中間シート４０、及びトップシート３０がこの順に積層されている。トップシート３０及び液不透過性シート１１は図示例では長方形であり、吸収要素５０よりも前後方向ＬＤ及び幅方向ＷＤにおいて若干大きい寸法を有しており、トップシート３０における吸収要素５０の側縁よりはみ出る周縁部と、液不透過性シート１１における吸収要素５０の側縁よりはみ出る周縁部とがホットメルト接着剤などにより固着されている。この部分はエンドフラップ部ＥＦ及びサイドフラップ部ＳＦの一部となる。
【００３１】
さらに、本体１０の表面における幅方向ＷＤの両側には、装着者の肌側に立ち上がる起き上がりギャザー６０，６０が設けられており、この起き上がりギャザー６０，６０を形成するギャザーシート６２，６２が、トップシート３０の両側部から各サイドフラップ部ＳＦまで延在されている。
【００３２】
以下、各部の素材及び特徴部分について順に説明する。
（外装シート）
外装シート１２は、使い捨ておむつの裏面を布のような肌触り・外観とするために設けられる。外装シート１２としては不織布が好適であるが、これに限定されない。不織布の種類は特に限定されず、素材繊維としては、例えばポリエチレン又はポリプロピレン等のオレフィン系、ポリエステル系、ポリアミド系等の合成繊維の他、レーヨンやキュプラ等の再生繊維、綿等の天然繊維を用いることができ、加工法としてはスパンレース法、スパンボンド法、サーマルボンド法、エアスルー法、ニードルパンチ法等を用いることができる。ただし、肌触り及び強度を両立できる点でスパンボンド不織布やＳＭＳ不織布、ＳＭＭＳ不織布等の長繊維不織布が好適である。不織布は一枚で使用する他、複数枚重ねて使用することもできる。後者の場合、不織布１２相互をホットメルト接着剤等により接着するのが好ましい。不織布を用いる場合、その繊維目付けは１０〜５０ｇ／ｍ2、特に１３〜３０ｇ／ｍ2のものが望ましい。外装シート１２は省略することもでき、その場合、使い捨ておむつの裏面に液不透過性シート１１が露出する形態とすることができる。
【００３３】
（液不透過性シート）
液不透過性シート１１の素材は、特に限定されるものではないが、例えば、ポリエチレンやポリプロピレン等のオレフィン系樹脂や、ポリエチレンシート等に不織布を積層したラミネート不織布、防水フィルムを介在させて実質的に液不透過性を確保した不織布（この場合は、防水フィルムと不織布とで液不透過性シートが構成される。）などを例示することができる。もちろん、この他にも、近年、ムレ防止の観点から好まれて使用されている液不透過性かつ透湿性を有する素材も例示することができる。この液不透過性かつ透湿性を有する素材のシートとしては、例えば、ポリエチレンやポリプロピレン等のオレフィン系樹脂中に無機充填剤を混練して、シートを成形した後、一軸又は二軸方向に延伸して得られた微多孔性シートを例示することができる。さらに、マイクロデニール繊維を用いた不織布、熱や圧力をかけることで繊維の空隙を小さくすることによる防漏性強化、高吸水性樹脂又は疎水性樹脂や撥水剤の塗工といった方法により、防水フィルムを用いずに液不透過性としたシートも、液不透過性シート１１として用いることができる。
【００３４】
図示例の液不透過性シート１１は、トップシート３０よりも幅が若干広く、外装シート１２より幅が狭くなっているが、これに限定されず、液不透過性シート１１は外装シート１２と同じ幅とするなど、適宜変更することができる。
【００３５】
（トップシート）
トップシート３０としては液透過性を有するもの、例えば、有孔又は無孔の不織布や、多孔性プラスチックシートなどを用いることができる。不織布は、その原料繊維が何であるかは、特に限定されない。例えば、ポリエチレンやポリプロピレン等のオレフィン系、ポリエステル系、ポリアミド系等の合成繊維、レーヨンやキュプラ等の再生繊維、綿等の天然繊維などや、これらから二種以上が使用された混合繊維、複合繊維などを例示することができる。さらに、不織布は、どのような加工によって製造されたものであってもよい。加工方法としては、公知の方法、例えば、スパンレース法、スパンボンド法、サーマルボンド法、メルトブローン法、ニードルパンチ法、エアスルー法、ポイントボンド法等を例示することができる。例えば、柔軟性、ドレープ性を求めるのであれば、スパンレース法が、嵩高性、ソフト性を求めるのであれば、サーマルボンド法が、好ましい加工方法となる。
【００３６】
トップシート３０は、１枚のシートからなるものであっても、２枚以上のシートを貼り合せて得た積層シートからなるものであってもよい。同様に、トップシート３０は、平面方向に関して、１枚のシートからなるものであっても、２枚以上のシートからなるものであってもよい。
【００３７】
図示例のトップシート３０は、吸収体５６の側縁よりも側方に延びているが、これに限定されず、外装シート１２の側縁まで延びていてもよく、また起き上がりギャザーを有する形態では起き上がりギャザーの付根部分まで延びていれば、吸収体の側縁よりも幅方向内側までしか延びていなくてもよいなど、適宜変更することができる。
【００３８】
（中間シート）
トップシート３０を透過した排泄物を吸収体へ移動させ、逆戻りを防ぐために、トップシート３０と吸収要素５０との間に中間シート（セカンドシートともいわれる）４０を設けることができる。この中間シート４０は、排泄物を速やかに吸収体へ移行させて吸収体による吸収性能を高めるばかりでなく、吸収した排泄物の吸収体からの逆戻りを防止し、トップシート３０の表面の肌触りを良くするものである。中間シート４０は省略することもできる。
【００３９】
中間シート４０の素材は特に限定されず、例えばトップシート３０と同様の素材を用いることができる。中間シート４０はトップシート３０に接合するのが好ましく、その接合にヒートエンボスや超音波溶着を用いる場合は、中間シート４０の素材はトップシート３０と同程度の融点をもつものが好ましい。また、便中の固形分を透過させることを考慮するならば中間シート４０に用いる繊維の繊度は５．０〜７．０ｄｔｅｘであるのが好ましいが、トップシート３０における液残りが多くなる。これに対して、中間シート４０に用いる繊維の繊度が１．０〜２．０ｄｔｅｘであると、トップシート３０の液残りは発生しにくいが、便の固形分が透過し難くなる。よって、中間シート４０に用いる不織布の繊維は繊度が２．０〜５．０ｄｔｅｘ程度とするのが好ましい。なお、中間シート４０はポリエチレンなどのフィルム素材に多数の細孔を設けたメッシュフィルムなどとすることも可能である。
【００４０】
図示の形態の中間シート４０は、吸収要素５０の幅より短く中央に配置されているが、全幅にわたって設けてもよい。中間シート４０の長手方向長さは、おむつの全長と同一でもよいし、吸収要素５０の長さと同一でもよいし、液を受け入れる領域を中心にした短い長さ範囲内であってもよい。
【００４１】
（吸収要素）
吸収要素５０は、尿や軟便などの液を吸収保持する部分であり、図示例では吸収体５６と、この吸収体５６の全体を包む包装シート５８とを有するものとなっている。吸収体５６が形状維持性に優れる場合等、必要に応じて包装シート５８は省略することもでき、その場合、吸収要素５０は吸収体５６のみからなる。吸収要素５０は、その裏面においてホットメルト接着剤等の接着剤を介して液不透過性シート１１の内面に接着することができる。
【００４２】
（吸収体）
吸収体５６は、繊維の集合体により形成することができる。この繊維集合体としては、綿状パルプや合成繊維等の短繊維を積繊したものの他、セルロースアセテート等の合成繊維のトウ（繊維束）を必要に応じて開繊して得られるフィラメント集合体も使用できる。繊維目付けとしては、綿状パルプや短繊維を積繊する場合は、例えば１００〜３００ｇ／ｍ2程度とすることができ、フィラメント集合体の場合は、例えば３０〜１２０ｇ／ｍ2程度とすることができる。合成繊維の場合の繊度は、例えば、１〜１６ｄｔｅｘ、好ましくは１〜１０ｄｔｅｘ、さらに好ましくは１〜５ｄｔｅｘである。フィラメント集合体の場合、フィラメントは、非捲縮繊維であってもよいが、捲縮繊維であるのが好ましい。捲縮繊維の捲縮度は、例えば、１インチ当たり５〜７５個、好ましくは１０〜５０個、さらに好ましくは１５〜５０個程度とすることができる。また、均一に捲縮した捲縮繊維を用いる場合が多い。吸収体５６中には高吸収性ポリマー粒子を分散保持させるのが好ましい。
【００４３】
吸収体５６は図示例のように長方形形状とする他、前後方向中間に、その前後両側よりも幅が狭い括れ部を有する砂時計形状とすると、脚周りへのフィット性が向上するため好ましい。
【００４４】
また、吸収体５６の寸法は排尿口位置の前後左右にわたる限り適宜定めることができるが、前後方向ＬＤ及び幅方向ＷＤにおいて、本体１０の周縁近傍まで延在しているのが好ましい。なお、符号５６Ｘは吸収体５６の全幅を示し、符号１０Ｘは本体１０の全幅を示し、符号１０Ｌは本体１０の全長（図示形態ではおむつの全長に等しい）を示している。
【００４５】
（高吸収性ポリマー粒子）
吸収体５６には、その一部又は全部に高吸収性ポリマー粒子を含有させることができる。高吸収性ポリマー粒子とは、「粒子」以外に「粉体」も含む。高吸収性ポリマー粒子５４としては、この種の吸収性物品に使用されるものをそのまま使用できる。高吸収性ポリマー粒子の粒径は特に限定されないが、例えば５００μｍの標準ふるい（ＪＩＳ Ｚ８８０１−１：２００６）を用いたふるい分け（５分間の振とう）、及びこのふるい分けでふるい下に落下する粒子について１８０μｍの標準ふるい（ＪＩＳ Ｚ８８０１−１：２００６）を用いたふるい分け（５分間の振とう）を行ったときに、５００μｍの標準ふるい上に残る粒子の割合が３０重量％以下で、１８０μｍの標準ふるい上に残る粒子の割合が６０重量％以上のものが望ましい。
【００４６】
高吸収性ポリマー粒子の材料としては、特に限定なく用いることができるが、吸水量が４０ｇ／ｇ以上のものが好適である。高吸収性ポリマー粒子としては、でんぷん系、セルロース系や合成ポリマー系などのものがあり、でんぷん−アクリル酸（塩）グラフト共重合体、でんぷん−アクリロニトリル共重合体のケン化物、ナトリウムカルボキシメチルセルロースの架橋物やアクリル酸（塩）重合体などのものを用いることができる。高吸収性ポリマー粒子の形状としては、通常用いられる粉粒体状のものが好適であるが、他の形状のものも用いることができる。
【００４７】
高吸収性ポリマー粒子としては、吸水速度が７０秒以下、特に４０秒以下のものが好適に用いられる。吸水速度が遅すぎると、吸収体５６内に供給された液が吸収体５６外に戻り出てしまう現象（いわゆる逆戻り）を発生しやすくなる。
【００４８】
また、高吸収性ポリマー粒子としては、ゲル強度が１０００Ｐａ以上のものが好適に用いられる。これにより、嵩高な吸収体５６とした場合であっても、液吸収後のべとつき感を効果的に抑制できる。
【００４９】
高吸収性ポリマー粒子の目付け量は、当該吸収体５６の用途で要求される吸収量に応じて適宜定めることができる。したがって一概にはいえないが、５０〜３５０ｇ／ｍ2とすることができる。ポリマーの目付け量が５０ｇ／ｍ2未満では、吸収量を確保し難くなる。３５０ｇ／ｍ2を超えると、効果が飽和する。
【００５０】
（包装シート）
包装シート５８を用いる場合、その素材としては、ティッシュペーパ、特にクレープ紙、不織布、ポリラミ不織布、小孔が開いたシート等を用いることができる。ただし、高吸収性ポリマー粒子が抜け出ないシートであるのが望ましい。クレープ紙に換えて不織布を使用する場合、親水性のＳＭＳ不織布（ＳＭＳ、ＳＳＭＭＳ等）が特に好適であり、その材質はポリプロピレン、ポリエチレン／ポリプロピレン複合材などを使用できる。目付けは、５〜４０ｇ／ｍ2、特に１０〜３０ｇ／ｍ2のものが望ましい。
【００５１】
包装シート５８の包装形態は適宜定めることができるが、製造容易性や前後端縁からの高吸収性ポリマー粒子の漏れ防止等の観点から、吸収体５６の表裏面及び両側面を取り囲むように筒状に巻き付け、かつその前後縁部を吸収体５６の前後からはみ出させ、巻き重なる部分及び前後はみ出し部分の重なり部分をホットメルト接着剤、素材溶着等の接合手段により接合する形態が好ましい。
【００５２】
（サイドギャザー）
図１〜図３及び図１０に示すように、本体１０の側部の前後方向ＬＤ中間に位置する脚周り部分のフィット性を向上させるために、サイドフラップ部ＳＦの前後方向ＬＤ中間におけるシート層間（図示例では、ギャザーシート６２と液不透過性シート１１との間や、後述する第２部分８０と液不透過性シート１１との間）に、前後方向ＬＤに延びるサイド弾性部材７０が設けられており、このサイド弾性部材７０の伸縮により、サイド弾性部材７０を有する部分が前後方向ＬＤに伸縮するようになっている。
【００５３】
（起き上がりギャザー）
トップシート３０上を横方向に移動する尿や軟便を遮り、横漏れを防止するために、使い捨ておむつの表面の幅方向ＷＤの両側には、トップシート３０の側部から肌側に立ち上がる（突出する）起き上がりギャザー６０が前後方向全体にわたり設けられている。
【００５４】
図示例の起き上がりギャザー６０は、サイドフラップ部ＳＦを含む領域に固定された付根部分６５と、この付根部分６５から延び出た突出部分６６と、この突出部分の前後方向両端部が倒伏状態に固定された倒伏部分６７と、突出部分６６のうち前後の倒伏部分間に位置する非固定の起き上がり部分６８と、この起き上がり部分６８の少なくとも先端部に、前後方向に伸張した状態で固定されたギャザー弾性部材６３とを有している。起き上がりギャザー６０は、先端で折り返されたギャザーシート６２により形成されており、ギャザーシート６２としては撥水性不織布を用いることができ、またギャザー弾性部材６３としては糸ゴム等の細長状弾性部材を用いることができる。ギャザー弾性部材６３は、図１〜図３及び図１０に示すように各複数本、間隔を空けて設ける他、各１本設けることができる。ギャザー弾性部材６３を有する部分の伸長率は特に限定されないが、通常の場合１５０〜３５０％が好ましく、２００〜３００％がより好ましい。
【００５５】
図示例の起き上がりギャザー６０の付根部分６５は、サイドフラップ部ＳＦにのみ設けられており、液不透過性シート１１の側部及び外装シート１２の側部に接合されているが、サイドフラップ部ＳＦから吸収体５６と重なる領域の側部まで延びていてもよい。
【００５６】
起き上がりギャザー６０の突出部分６６は、前後方向ＬＤの両端部が倒伏部分となっているものの、その間の部分は非固定の起き上がり部分６８とされており、この起き上がり部分６８がギャザー弾性部材６３の収縮力により起立するようになる。おむつの装着時には、おむつが舟形に体に装着されるので、そしてギャザー弾性部材６３の収縮力が作用するので、ギャザー弾性部材６３の収縮力により起き上がりギャザー６０が立ち上がり脚周りに弾力的に密着する。その結果、脚周りからのいわゆる横漏れが防止される。
【００５７】
（ウエスト伸縮シート）
背側部分Ｂにおける本体１０の胴周り部には帯状のウエスト伸縮シート９０が設けられ、背側部分Ｂが幅方向ＷＤに弾性伸縮するものとなっていると好ましい。ウエスト伸縮シート９０は、例えば図６に示すにように幅方向ＷＤの両端部が非伸縮領域９６となっているとともに、これら非伸縮領域９６の間の部分は、幅方向ＷＤに伸縮する中間伸縮領域９５となっていてもよい。ウエスト伸縮シート９０は、エンドフラップ部ＥＦにのみ位置していてもよいが、図示例のようにエンドフラップ部ＥＦから吸収体５６の後端部までにわたるように配置されていると、吸収体５６の後端部がしっかりと体に押し当てられるため、好ましい。
【００５８】
ウエスト伸縮シート９０は、ゴムシート等のシート状弾性部材を用いても良いが、通気性の観点から不織布を用いるのが好ましい。この場合、伸縮不織布のような通気性を有するシート状弾性部材を用いることもできるが、図６に示すように、二枚の不織布等のシート層９１をホットメルト接着剤等の接着剤により貼り合わせるとともに、両シート層９１間に有孔のシート状、網状、細長状（糸状又は紐状等）等の弾性部材９２を幅方向ＷＤに沿って伸長した状態で固定したものが好適に用いられる。この場合におけるシート層９１の素材としては、外装シート１２と同様のものを用いることができる。弾性部材９２の伸長率は１５０〜２５０％程度であるのが好ましい。また、弾性部材９２として細長状（糸状又は紐状等）のものを用いる場合、太さ４２０〜１１２０ｄｔｅｘのものを３〜１０ｍｍの前後方向間隔で５〜１５本程度設けるのが好ましい。
【００５９】
ウエスト伸縮シート９０の幅は適宜定めることができるが、図示例のように、左右のサイドフラップ部ＳＦ間にわたる幅となっていることが好ましく、特に左右のウイング部分ＷＰ間にわたる幅となっていることが好ましい。具体的な寸法としては、ウエスト伸縮シート９０の幅は本体１０の全幅１０Ｘの４０〜９５％程度とすることが好ましい。
【００６０】
ウエスト伸縮シート９０における中間伸縮領域９５及び非伸縮領域９６の寸法は適宜定めることができるが、中間伸縮領域９５の幅は後述する左右のサイドパネル１３の連結部１３Ａ間の幅の３０〜１００％とすることが好ましく、非伸縮領域９６の幅は本体１０への取付け時の縮みやめくれ防止のため５〜２０ｍｍ程度とすることが好ましい。非伸縮領域９６は弾性部材９２を有しない領域としてもよいが、特許文献３記載のように、中間伸縮領域９５及び非伸縮領域９６にわたり弾性部材９２を取り付けるとともに、非伸縮領域９６では弾性部材９２を切断する等により、非伸縮領域９６に弾性部材９２が残留するもののほとんど又は全く伸縮しない構造としてもよい。
【００６１】
また、弾性部材９２の一部が吸収体５６を横断するように配置することもできるが、図６に示すように、弾性部材９２が吸収体５６と重なる部分の一部又は全部を切断する等により、弾性部材９２が残留するもののほとんど又は全く伸縮しない構造とすると、吸収体５６の後端部が幅方向に縮まないため、フィット性がさらに向上する。
【００６２】
ウエスト伸縮シート９０は、図示形態では、液不透過性シート１１と吸収要素５０との間に配置されているが、この配置に特に限定されるものではない。例えば、ウエスト伸縮シート９０は液不透過性シート１１と外装シート１２との間に配置されていてもよいし、外装シート１２の外側に設けてもよい。また、外装シート１２を複数枚のシート層を重ねて形成する場合には、ウエスト伸縮シート９０全体を、外装シート１２のシート層間に設けても良い。
【００６３】
（サイドパネル）
サイドパネル１３は、背側部分Ｂの両側部からそれぞれ突出するものであり、図７にも示すように、背側部分Ｂの本体１０に取り付けられた基端部１３Ｂと、腹側部分Ｆの外面に対して着脱可能に連結される連結部１３Ａと、少なくとも基端部１３Ｂと連結部１３Ａとの間の部分に設けられた幅方向ＷＤに伸縮するサイド伸縮領域１３Ｅとを有するものである。
【００６４】
サイドパネル１３の連結部１３Ａとしては、メカニカルファスナー（面ファスナー）のフック材（雄材）を設ける他、粘着剤層を設けてもよい。フック材は、その連結面に多数の係合突起を有するものであり、係合突起の形状としては、（Ａ）レ字状、（Ｂ）Ｊ字状、（Ｃ）マッシュルーム状、（Ｄ）Ｔ字状、（Ｅ）ダブルＪ字状（Ｊ字状のものを背合わせに結合した形状のもの）等が存在するが、いずれの形状であっても良い。おむつの装着に際しては、ウイング部分ＷＰを腰の両側から腹側部分Ｆの外面に回して、ウイング部分ＷＰの連結部１３Ａを腹側部分Ｆ外面の適所に連結する。
【００６５】
サイドパネル１３は、少なくとも基端部１３Ｂと連結部１３Ａとの間の部分が幅方向ＷＤに伸縮するサイド伸縮領域１３Ｅとなっている。サイド伸縮領域１３Ｅの伸長率は特に限定されないが、１５０〜２５０％程度であるのが好ましい。サイド伸縮領域１３Ｅの構造は特に限定されるものではなく、例えばゴムシートや伸縮不織布等のようにそれ自体で弾性を有するシートを用いて、サイドパネル１３の少なくともサイド伸縮領域１３Ｅを形成することもできる。また、図７に例示するように、二枚の不織布等のシート層１３Ｓをホットメルト接着剤等の接着剤により貼り合わせるとともに、両シート層１３Ｓ間に有孔のシート状、網状、細長状（糸状又は紐状等）等の弾性部材１３Ｇを幅方向ＷＤに沿って伸張した状態で固定したものを用いて、サイドパネル１３の少なくともサイド伸縮領域１３Ｅを形成するのも好適である。このようにシート層１３Ｓに複数本の細長状弾性部材１３Ｇを間隔を空けて取り付けたものは、使い捨ておむつの技術分野では汎用されているため製造が容易であるだけでなく、細長状弾性部材１３Ｇの太さ、本数、伸長率、間隔、及び素材の種類を異ならしめることにより、サイドパネル１３の収縮特性を容易に調整できる利点もある。この場合におけるシート層１３Ｓの素材としては、外装シート１２と同様のものを用いることができる。また、弾性部材１３Ｇとして細長状（糸状又は紐状等）のものを用いる場合、例えば太さ４２０〜１１２０ｄｔｅｘのものを３〜１０ｍｍの前後方向間隔で５〜１５本程度設けることができる。
【００６６】
サイド伸縮領域１３Ｅは、少なくとも基端部１３Ｂと連結部１３Ａとの間の部分に設けられる限り、サイドパネル１３の幅方向ＷＤの全体にわたり（つまり基端部１３Ｂ及び連結部１３Ａを含む）設けられていてもよいが、基端部１３Ｂや連結部１３Ａが収縮すると、連結部１３Ａの連結が不十分になるおそれや、基端部１３Ｂの接合不良が発生するおそれがあるため、基端部１３Ｂと連結部１３Ａとの間の幅方向ＷＤ範囲の５０〜８０％の範囲に設けられていることが好ましい。この場合、基端部１３Ｂ及び連結部１３Ａは弾性部材１３Ｇを有しない領域としてもよいが、サイドパネル１３の幅方向ＷＤ全体にわたり弾性部材１３Ｇを取り付けるとともに、基端部１３Ｂ及び連結部１３Ａでは弾性部材１３Ｇを切断する等することにより、基端部１３Ｂ及び連結部１３Ａに弾性部材１３Ｇが残留するもののほとんど又は全く伸縮しない構造としてもよい。
【００６７】
連結部１３Ａは、サイド伸縮領域１３Ｅを構成するシート１３Ｓに設けることもできるが、図示例のようにサイドパネル１３の先端部にサイド伸縮領域１３Ｅの先端から突出する支持片１３Ｃを取付け、この支持片１３Ｃに連結部１３Ａを設けると、製造が容易であるため好ましい。支持片１３Ｃは、幅方向ＷＤ中間に連結部１３Ａを有し、先端部が連結部１３Ａを有しない摘み部となっていることが望ましい。支持片１３Ｃの形状は適宜定めることができ、図示例では先端に向かうにつれて前後方向ＬＤ長さが短くなっており、この前後方向ＬＤの長さが短くなった部分に連結部１３Ａを有しているが、矩形状とすることもできる。支持片１３Ｃを矩形状とする場合、サイド伸縮領域１３Ｅを構成するシート１３Ｓよりも前後方向ＬＤ長さが短いことが好ましい。支持片１３Ｃの素材としては、不織布、プラスチックフィルム、ポリラミ不織布、紙やこれらの複合素材等、特に限定なく公知の素材を使用できるが、繊度１．０〜３．５ｄｔｅｘ、目付け２０〜１００ｇ／ｍ2、厚み１ｍｍ以下のスパンボンド不織布、エアスルー不織布、又はスパンレース不織布が好ましい。
【００６８】
サイドパネル１３の基端部１３Ｂは、中間伸縮領域９５と重なる位置に連結されていても、中間伸縮領域９５の側縁に隣接して配置されていてもよい。サイドパネル１３の基端部１３Ｂと本体１０との接合は、図示例のように前後方向ＬＤに沿って細長く形成されていることが好ましく、また強固であることが好ましいため、超音波シールやヒートシール等の溶着によりなされていることが好ましいが、ホットメルト接着剤によりなされていてもよい。サイドパネル１３の基端部１３Ｂ（本体１０に対する接合部分）の幅は４０〜８０ｍｍ以下であることが好ましい。
【００６９】
サイドパネル１３の形状は適宜定めることができ、サイド伸縮領域１３Ｅが図示例のような矩形であると製造が容易であるため好ましいが、サイド伸縮領域１３Ｅが先端側に向かうにつれて前後方向ＬＤの長さ短くなる台形とすることもできる。サイドパネル１３の寸法は適宜定めることができるが、サイド伸縮領域１３Ｅの前後方向ＬＤの長さは７０〜１００ｍｍ程度であることが好ましく、サイド伸縮領域１３Ｅの幅方向ＷＤの長さは３０〜７０ｍｍ程度であることが好ましい。
【００７０】
（ターゲットシート）
腹側部分Ｆにおけるサイドパネル１３の連結箇所には、連結を容易にするためのターゲットを有するターゲットシート２０を設けるのが好ましい。ターゲットシート２０は、連結部１３Ａがフック材の場合、フック材の係合突起が絡まるようなループ糸がプラスチックフィルムや不織布からなるシート基材の表面に多数設けられたものを用いることができ、また粘着材層の場合には粘着性に富むような表面が平滑なプラスチックフィルムからなるシート基材の表面に剥離処理を施したものを用いることができる。また、腹側部分Ｆにおけるサイドパネル１３の連結箇所が不織布からなる場合、例えば図示形態の外装シート１２が不織布からなる場合であって、サイドパネル１３の連結部１３Ａがフック材の場合には、ターゲットシート２０を省略し、フック材を外装シート１２の不織布に絡ませて連結することもできる。この場合、ターゲットシート２０を外装シート１２と液不透過性シート１１との間に設けてもよい。
【００７１】
（第１部分及び第２部分）
特徴的には図１及び図８に示すように、本テープタイプ使い捨ておむつは、サイドパネル１３よりも裏側に位置し、背側部分Ｂの側縁から幅方向中央側に延びる第１部分８１と、サイドパネル１３よりも表側に位置し、背側部分Ｂの側縁からサイドパネル１３の下側を経て幅方向中央側に延びる第２部分８２とを有している。第１部分８１は、表側に隣接する面に固定された裏側固定部８１ｂを有し、第２部分８２は、背側部分Ｂの側縁から幅方向ＷＤの中央側に延びる、裏側に隣接する面に固定されていない表側自由部８２ｆと、表側自由部８２ｆの幅方向ＷＤの中央側に隣接する、裏側に隣接する面に固定された表側固定部８２ｂとを有している。第１部分８１は、背側部分Ｂの側縁から幅方向ＷＤの中央側に延びる、表側に隣接する面に固定されていない裏側自由部８１ｆを有していても、有していなくてもよい。そして、図１０及び図１１にも示すように、サイドパネル１３を側方に開いた状態では、サイドパネル１３におけるサイド伸縮領域１３Ｅの下縁１３ｕが、第２部分８２における表側自由部８２ｆの上縁８２ｔに押し付けられるように、サイドパネル１３に対して第１部分８１及び第２部分８２が配置されている。このため、サイドパネル１３を側方に開いた状態で、表側固定部８２ｂはサイドパネル１３の基端部１３Ｂよりも幅方向ＷＤの中央側に位置することとなる。
【００７２】
この結果、図１２に示すように、装着のためにサイドパネル１３を胴周り方向に延ばそうとしたとき、サイド伸縮領域１３Ｅにおける第２部分８２の押し付け部分よりも幅方向ＷＤ中央側の伸長が抑制されるため、サイド伸縮領域１３Ｅにおける下縁１３ｕ側の伸長可能量が上側よりも短くなる。したがって、装着時にサイドパネル１３を胴周り方向に延ばそうとすると、自然にサイドパネル１３の向きが斜め下向きになるため、容易に、図１３に示すように装着者の腹部の膨らみの下側に沿って斜め下向きに装着することができる。また、サイドパネル１３を斜め上向きに伸ばした後に胴周り方向に戻すように操作するか、あるいは強引に胴周り方向に伸ばすことにより、第２部分８２の押し付けによる伸長抑制効果を無くすことができ、胴周り方向にまっすぐに伸ばすことも可能である。つまり、使用者は、サイドパネル１３を斜め下向きにも、胴周り方向にも容易に伸ばすことができる。
【００７３】
表側自由部８２ｆの幅は適宜定めることができるが、本体１０の側縁からサイド伸縮領域１３Ｅの先端側の縁までの幅方向ＷＤ長さの７０〜９５％程度とすることが好ましい。表側固定部８２ｂの幅は適宜定めることができるが、本体１０の幅方向ＷＤ長さのうち、製品幅全長の３〜５％程度とすることが好ましい。表側固定部８２ｂの前後方向ＬＤ長さは、柔軟性及び強度の両立を考慮すると１８０〜４２０ｍｍ程度であることが好ましい。また、背側部分Ｂにおける外装シート１２が固定されていない部分（８２ｂ以外の部分）の前後方向ＬＤの長さは、３７〜２６０ｍｍ程度であることが好ましい。また、一般的な製造形態では、製造時には前後方向ＬＤにおむつが連続して連なった状態で製造されるため、腹側部分Ｆにおける外装シート１２が固定されていない部分（８２ｂ以外の部分）の前後方向ＬＤの長さは、０〜５２ｍｍ程度であると、加工機での接着・溶着の制御の点で好ましい。裏側自由部８１ｆを設ける場合、裏側自由部８１ｆの幅は表側自由部８２ｆの幅以下であることが好ましい。表側固定部８２ｂ及び裏側固定部８１ｂは、ホットメルト接着剤により固定する他、超音波シールやヒートシール等の素材に溶着により固定することもできる。
【００７４】
サイドパネル１３及び第２部分８２の位置関係は、サイドパネル１３を側方に開いた状態で、サイドパネル１３におけるサイド伸縮領域１３Ｅの下縁１３ｕが、第２部分８２における表側自由部８２ｆの上縁８２ｔに押し付けられる限り適宜定めることができるが、サイド伸縮領域１３Ｅの下縁１３ｕと表側固定部８２ｂの後端との前後方向ＬＤの間隔は０〜１５ｍｍ程度であることが好ましい。図示例のように、第２部分８２における表側自由部８２ｆの上縁８２ｔが、側方に向かって斜め上向きに延びていると、図１や図１２に示す状態からも分かるように、装着のためにサイドパネル１３を胴周り方向に延ばそうとすればするほど、サイド伸縮領域１３Ｅの下縁１３ｕが第２部分８２における表側自由部８２ｆの上縁８２ｔに押し付けられるため、第２部分８２による抑制効果が高いものとなる。サイドパネル１３におけるサイド伸縮領域１３Ｅの下縁１３ｕは、幅方向ＷＤに沿って直線的に延びていると製造しやすいため好ましいが、サイドパネル１３を側方に開いた状態で、側方に向かって斜め上向きに延びているのも好ましい。
【００７５】
図示例では、前後方向ＬＤにおける第２部分８２の押し付け位置は表側固定部８２ｂより後側に位置しているが、表側固定部８２ｂと同じか、それより前側に位置していてもよい。また、図示例では、幅方向ＷＤにおける第２部分８２の押し付け位置は、表側自由部８２ｆ分の幅方向ＷＤ中間に位置しているが、表側固定部８２ｂに隣接していても、第１部分８１と第２部分８２の境界（側縁）に隣接していてもよい。
【００７６】
第２部分８２は、図１４に示すように、サイドパネル１３の近傍にのみ専用の部材を取り付けることにより形成することもできる。しかし、図１〜図１０に示す例のように、第１部分８１及び第２部分８２は、本体１０のサイドフラップ部ＳＦを構成するシートを側方に延長するとともに、本体１０の側縁で最も表側に折り返すことにより形成すると、別途専用の部材を取り付ける必要がないため好ましい。図示例では、外装シート１２のみにより第１部分８１及び第２部分８２が形成されており、外装シート１２により形成される第１部分８１のうち、サイドパネル１３の裏側に重なる部分は、サイドパネル１３に接合されておらず、外装シート１２により形成される第２部分８２は、サイドパネル１３の下縁１３ｕよりも後側に表側固定部８２ｂを有せず、サイドパネル１３の下縁１３ｕより前側（同じでもよい）に表側固定部８２ｂを有している。これにより、サイドフラップ部ＳＦにおけるシート積層数の増加を最小限に押さえることができ、通気性及び柔軟性の低下を抑制することができる。図１５に示すように、外装シート１２だけでなく、サイドフラップ部ＳＦを構成するギャザーシート６２も含めて、本体１０の側縁で表側に折り返すことにより、第１部分８１及び第２部分８２を形成することもできる。しかし、この場合、サイドパネル１３をギャザーシート６２の内側に取り付ける必要があり、サイドパネル１３を側方に開いた状態では、サイドパネル１３の基端部１３Ｂが内面に露出し、肌触りを悪化させるおそれがある。よって、図示例のように、ギャザーシート６２は折り返さずに、外装シート１２のみ折り返し、サイドパネル１３をサイドフラップ部ＳＦのシート間に取り付けることが好ましい。
【００７７】
例えば外装シート１２を折り返して第１部分８１及び第２部分８２を形成する場合（サイドフラップ部ＳＦを構成するシートであれば他のシートでも同様となる）、図１６に示すように、外装シート１２の折り返しを行う前に、外装シート１２の折り返し位置よりも幅方向ＷＤ中央側の表面に、サイドパネル１３の基端部１３Ｂを取り付けた後、サイドパネル１３とともに外装シート１２を折り返す。外装シート１２の折り返し部分は、折り返し位置（背側部分Ｂの側縁）から幅方向ＷＤ中央側に離間した位置で、サイドパネル１３の下縁１３ｕ近くから腹側部分Ｆまで連続的（又は間欠的でも良い）に対向面と接合され、表側固定部８２ｂが形成される。表側固定部８２ｂは腹側部分Ｆの前端部まで設けなくてもよく、前後対称的に設けることもできる。この表側固定部８２ｂ以外では、外装シート１２の折り返し部分は対向面に接合されず、特に表側固定部８２ｂと折り返し位置との間では対向面に接合されないことにより、表側自由部８２ｆが形成される。なお、外装シート１２の折り返しに先立ち、サイドパネル１３が支持片１３Ｃを有する形態では、支持片１３Ｃにおける連結部１３Ａより基端側の位置で、これよりも先端側を折り返しておくのが好ましい。このように製造された製品では、使用に際してサイドパネル１３を側方に開くと、その力がサイドパネル１３の外側に重なる外装シート１２の折り返し部分にも側方に開くように力が作用するが、外装シート１２の折り返し部分は、サイドパネル１３の下縁１３ｕ近傍から前側では表側固定部８２ｂにより開かないように固定されている。この結果、図１、図１１及び図１２に示すように、外装シート１２の折り返し部分は、表側固定部８２ｂよりも後側における幅方向ＷＤ中央側の端部が、サイドパネル１３のサイド伸縮領域１３Ｅの下縁１３ｕにより押し下げられ、表側固定部８２ｂの後端から側方に向かって斜め上向きとなるように開かれる。つまり、この外装シート１２の折り返し部分における、サイドパネル１３のサイド伸縮領域１３Ｅの下縁１３ｕにより押し下げられる部分が、表側自由部８２ｆの上縁８２ｔとなるのである。外装シート１２の折り返し部分のうち、サイドパネル１３を側方に開いた状態でサイドパネル１３の外側に重なる部分１２Ｒは、図示例ではサイドパネル１３を被覆するカバー部分となるため残しているが、この部分は製造時に切除してもよい。
【００７８】
上述のように、外装シート１２により形成される第１部分８１のうち、サイドパネル１３の裏側に重なる部分は、サイドパネル１３に接合されておらず、かつ外装シート１２により形成される第２部分８２は、サイドパネル１３の下縁１３ｕよりも後側に表側固定部８２ｂを有しない形態では、サイドパネル１３が取り付けられるサイドフラップ部ＳＦの強度が低下せざるをえない。しかし、図示例のように、背側部分Ｂにおける両方のサイドパネル１３の基端部１３Ｂと重なる部分にわたり、幅方向ＷＤに伸縮するウエスト伸縮シート９０が設けられていると、サイドパネル１３の基端部１３Ｂを取り付ける部分の強度をウエスト伸縮シート９０により補うことができる。また、もちろん、ウエスト伸縮シート９０の伸縮性とサイドパネル１３の伸縮性とが合わさって、より広範囲に伸縮性を付与することができる。
【００７９】
他方、テープタイプ使い捨ておむつのターゲットシート２０の形状は幅方向ＷＤに長い長方形であることが一般的であるが、このようなターゲットシート２０の形状は、サイドパネル１３を斜め下向きにして止めるのには適しない。よって、図１７に示すように、ターゲットシート２０の少なくとも下縁２０ｕは、幅方向ＷＤ中央に向かって直線的又は曲線的に斜め下向きに延びているのも好ましい。図示例では、ターゲットシート２０の上縁２０ｔも直線的又は曲線的に幅方向ＷＤ中央に向かって斜め下向きに延びているが、ターゲットシート２０の下縁２０ｕのみ直線的又は曲線的に幅方向ＷＤの中央に向かって斜め下向きに延びている形態とすることもできる。
【００８０】
また、テープタイプ使い捨ておむつは吸収体５６を有する領域の剛性が高いため、サイドパネル１３を装着者の腹部の膨らみの下側に沿うように斜め下向きに連結した場合に、吸収体５６がフィット性を阻害する。よって、図１７に示す例のように、吸収体５６の前縁の幅方向ＷＤの中央に、後側にくぼむ凹部５６ｄを設けることにより、吸収体５６の変形を容易にし、吸収体５６に起因するフィット性の阻害を低減するのも一つの好ましい形態である。
【００８１】
また、テープタイプ使い捨ておむつは平坦なシートにより形成されるため、サイドパネル１３を装着者の腹部の膨らみの下側に沿うように斜め下向きに連結して、フィットさせたとしても、腹側部分Ｆにしわが寄ることは避けられず、この点でフィット性を改善する余地がある。よって、図１７に示す例のように、腹側部分Ｆの前縁の幅方向ＷＤの中央に、後側にくぼむ凹部（切除部）Ｆｄを設けることにより、腹側部分Ｆの変形を容易にし、腹側部分Ｆにしわが寄ることに起因するフィット性の低下を防止するのも一つの好ましい形態である。
【００８２】
＜明細書中の用語の説明＞
明細書中の以下の用語は、明細書中に特に記載がない限り、以下の意味を有するものである。
・「前後方向ＬＤ（縦方向）」とは腹側（前側）と背側（後側）を結ぶ方向を意味し、「幅方向ＷＤ」とは前後方向と直交する方向（左右方向）を意味し、「厚み方向ＴＤ」とは表面及び裏面と直交する方向を意味する。
・「表側」とは装着時に肌に近い方を意味し、「裏側」とは装着時に肌から遠い方を意味する。
・「展開状態」とは自然長の状態から、収縮や弛みなく完全に完全に平坦に伸ばし広げた状態を意味する。
・「伸長率」は、自然長を１００％としたときの値を意味する。
・「ゲル強度」は次のようにして測定されるものである。人工尿４９．０ｇに、高吸収性ポリマーを１．０ｇ加え、スターラーで攪拌させる。生成したゲルを４０℃×６０％ＲＨの恒温恒湿槽内に３時間放置した後常温にもどし、カードメーター（Ｉ．ｔｅｃｈｎｏ  Ｅｎｇｉｎｅｅｒｉｎｇ社製：Ｃｕｒｄｍｅｔｅｒ−ＭＡＸ  ＭＥ−５００）でゲル強度を測定する。
・「人工尿」は、尿素：２ｗｔ％、塩化ナトリウム：０．８ｗｔ％、塩化カルシウム二水和物：０．０３ｗｔ％、硫酸マグネシウム七水和物：０．０８ｗｔ％、及びイオン交換水：９７．０９ｗｔ％を混合したものであり、特に記載のない限り、温度３７度で使用される。
・「目付け」は次のようにして測定されるものである。試料又は試験片を予備乾燥した後、標準状態（試験場所は、温度２３±１℃、相対湿度５０±２％）の試験室又は装置内に放置し、恒量になった状態にする。予備乾燥は、試料又は試験片を温度１００℃の環境で恒量にすることをいう。なお、公定水分率が０．０％の繊維については、予備乾燥を行わなくてもよい。恒量になった状態の試験片から、試料採取用の型板(１００ｍｍ×１００ｍｍ)を使用し、１００ｍｍ×１００ｍｍの寸法の試料を切り取る。試料の重量を測定し、１０倍して１平米あたりの重さを算出し、目付けとする。
・「吸水量」は、ＪＩＳ  Ｋ７２２３−１９９６「高吸水性樹脂の吸水量試験方法」によって測定する。
・「吸水速度」は、２ｇの高吸収性ポリマー及び５０ｇの生理食塩水を使用して、ＪＩＳ  Ｋ７２２４‐１９９６「高吸水性樹脂の吸水速度試験法」を行ったときの「終点までの時間」とする。
・試験や測定における環境条件についての記載がない場合、その試験や測定は、標準状態（試験場所は、温度２３±１℃、相対湿度５０±２％）の試験室又は装置内で行うものとする。
・各部の寸法は、特に記載がない限り、自然長状態ではなく展開状態における寸法を意味する。
【産業上の利用可能性】
【００８３】
本発明は、上記例のようなテープタイプ使い捨ておむつに利用可能なものである。
【符号の説明】
【００８４】
１０…本体、１１…液不透過性シート、１２…外装シート、１３…サイドパネル、１３Ａ…連結部、１３Ｂ…基端部、１３Ｃ…支持片、１３Ｅ…サイド伸縮領域、１３ｕ…下縁、２０…ターゲットシート、３０…トップシート、４０…中間シート、５０…吸収要素、５６…吸収体、５８…包装シート、６０…起き上がりギャザー、６２…ギャザーシート、６３…ギャザー弾性部材、７０…サイド弾性部材、８１…第１部分、８１ｂ…裏側固定部、８１ｆ…裏側自由部、８２…第２部分、８２ｂ…表側固定部、８２ｆ…表側自由部、８２ｔ…上縁、９０…ウエスト伸縮シート、９５…中間伸縮領域、９６…非伸縮領域、Ｂ…背側部分、Ｃ…前後方向中央、ＣＰ…中間部分、ＥＦ…エンドフラップ部、Ｆ…腹側部分、ＬＤ…前後方向、ＳＦ…サイドフラップ部、ＴＤ…厚み方向、ＷＤ…幅方向、ＷＰ…ウイング部分。
【図１】
2018166699.tif 000003
【図２】
2018166699.tif 000004
【図３】
2018166699.tif 000005
【図４】
2018166699.tif 000006
【図５】
2018166699.tif 000007
【図６】
2018166699.tif 000008
【図７】
2018166699.tif 000009
【図８】
2018166699.tif 000010
【図９】
2018166699.tif 000011
【図１０】
2018166699.tif 000012
【図１１】
2018166699.tif 000013
【図１２】
2018166699.tif 000014
【図１３】
2018166699.tif 000015
【図１４】
2018166699.tif 000016
【図１５】
2018166699.tif 000017
【図１６】
2018166699.tif 000018
【図１７】
2018166699.tif 000019